(57)【特許請求の範囲】
【請求項１】
送風口及び吸込口を有するハウジングの内部に、ファン、モータ、整流翼及びヒータを具備するヘアードライヤーであって、送風口のノズルを、内側ノズルと外側ノズルとで構成し、内側ノズルに、上流側から下流側に向かってノズル中心軸に向けて傾斜する傾斜部と、傾斜部の下流側において断面形状がノズル中心軸と略平行に形成された平行部とを形成して成ることを特徴とするヘアードライヤー。
【請求項２】
内側ノズルと外側ノズルとを、ノズル中心軸に沿った方向において重なった部分が形成されるように配設して成ることを特徴とする請求項１に記載のヘアードライヤー。
【請求項３】
内側ノズルの下流側端部が外側ノズルの下流側端部よりも下流側に配置されると共に、内側ノズルの上流側端部が外側ノズルの下流側端部の配置位置よりも上流側に配置されるように、内側ノズルと外側ノズルとを配設して成ることを特徴とする請求項１又は２に記載のヘアードライヤー。
【請求項４】
対向して配置される一対の外側ノズルの間に内側ノズルが配置されるように形成して成ることを特徴とする請求項１乃至３のいずれかに記載のヘアードライヤー。
【請求項５】
内側ノズルに整流片を形成して成ることを特徴とする請求項１乃至４のいずれかに記載のヘアードライヤー。
【請求項６】
内側ノズルの上流側端部に、ノズル中心軸と略平行な整流片を設けて成ることを特徴とする請求項５に記載のヘアードライヤー。
【請求項７】
外側ノズルの下流側端部側に、断面形状がノズル中心軸に向けて傾斜する傾斜部を設けて成ることを特徴とする請求項１乃至６のいずれかに記載のヘアードライヤー。
【請求項８】
外側ノズルの下流側端部を、内側ノズルの上流側端部よりも外側に配置して成ることを特徴とする請求項１乃至７のいずれかに記載のヘアードライヤー。
【発明の詳細な説明】
【０００１】
【発明の属する技術分野】
本発明は、ヘアードライヤーに関し、詳しくは、ノズル形状によって、送風口からの風量の減少を抑えながら風速を増加させることで、風のエネルギーロスを最小限にしようとする技術に関するものである。
【０００２】
【従来の技術】
従来、ヘアードライヤーＡの送風口１には、送風口１から送風される熱風を絞って毛髪のセット、乾燥を行なうノズル８を形成している。
【０００３】
そして、図９に示す実開昭５８−１４３６０４号公報に記載のもののように、外側ノズル９と内側ノズル１０とを設けることにより、ノズル８の開口面積を変化させているものである。
【０００４】
【発明が解決しようとする課題】
しかし、ノズル８の開口面積を変化させて絞るだけでは、風速の速い熱風を得ることはできるが、ノズル８を絞ることにより風量が減少するばかりか、風の流れにロスが生じ、結果的に風の運動エネルギーが減少すると共に熱エネルギーが上昇して、風の温度が過剰に上昇し、毛髪を傷める等の問題が生じるものであった。
【０００５】
そこで、ノズル８の中心軸ｘ付近を流れる風のみを絞り、外周部を流れる風は絞らずに送風することで、風量を減らさずに風速を上げ、風のエネルギーロスを小さくする方法が考えられるが、図９の上記従来例のように、内側ノズル１０を絞ると内側ノズル１０の下流側部分１０ｆにおいて風の干渉が生じて、やはり風の流れにロスが生じるものであった。
【０００６】
本発明は上記の点に鑑みてなされたものであり、送風口のノズルによって風量の減少を抑えながら風速を増加させることで風のエネルギーロスを最小限にすることができ、良好な毛髪のセット・乾燥を行なうことができるヘアードライヤーを提供することを目的とするものである。
【０００７】
【課題を解決するための手段】
本発明の請求項１に係るヘアードライヤーは、送風口１及び吸込口２を有するハウジング３の内部に、ファン４、モータ５、整流翼６及びヒータ部７を具備するヘアードライヤーＡであって、送風口１のノズル８を、内側ノズル１０と外側ノズル９とで構成し、内側ノズル１０に、上流側から下流側に向かってノズル中心軸ｘに向けて傾斜する傾斜部１０ｅと、傾斜部１０ｅの下流側において断面形状がノズル中心軸ｘと略平行に形成された平行部１０ｆとを形成して成ることを特徴とするものである。
【０００８】
また、請求項２の発明は、請求項１の構成に加えて、内側ノズル１０と外側ノズル９とを、ノズル中心軸ｘに沿った方向において重なった部分が形成されるように配設して成ることを特徴とするものである。
【０００９】
また請求項３に記載の発明は、請求項１又は２の構成に加えて、内側ノズル１０の下流側端部１０ａが外側ノズル９の下流側端部９ａよりも下流側に配置されると共に、内側ノズル１０の上流側端部１０ｂが外側ノズル９の下流側端部９ａの配置位置よりも上流側に配置されるように、内側ノズル１０と外側ノズル９とを配設して成ることを特徴とするものである。
【００１０】
また請求項４に記載の発明は、請求項１乃至３のいずれかの構成に加えて、対向して配置される一対の外側ノズル９の間に内側ノズル１０が配置されるように形成して成ることを特徴とするものである。
【００１１】
また請求項５に記載の発明は、請求項１乃至４のいずれかの構成に加えて、内側ノズル１０に整流片１６を形成して成ることを特徴とするものである。
【００１２】
また請求項６に記載の発明は、請求項５の構成に加えて、内側ノズル１０の上流側端部１０ｂに、ノズル中心軸ｘと略平行な整流片１６を設けて成ることを特徴とするものである。
【００１３】
また請求項７に記載の発明は、請求項１乃至６のいずれかの構成に加えて、外側ノズル９の下流側端部９ａ側に、断面形状がノズル中心軸ｘに向けて傾斜する傾斜部１０ｅを設けて成ることを特徴とするものである。
【００１４】
また請求項８に記載の発明は、請求項１１乃至７のいずれかの構成に加えて、外側ノズル９の下流側端部９ａを、内側ノズル１０の上流側端部１０ｂよりも外側に配置して成ることを特徴とすものである。
【００１５】
【発明の実施の形態】
以下、本発明の実施の形態を説明する。図１は全体断面図、図２はノズル８の斜視図、図３はノズル８の断面図、図４はノズル８の正面図である。
【００１６】
図１に示すように、ヘアードライヤーＡの円筒状のハウジング３の先端部には送風口１が、後端部には吸込口２がそれぞれ形成されている。ここで、ヘアードライヤーのハウジングは、本体ハウジング１５と、本体ハウジング１５の先端に形成されたノズル８とで構成されており、ノズル８にて送風口１が形成されている。このノズル８は、本実施の形態では本体ハウジングとは別部品として構成されているが、本体ハウジング１５と一体に形成してもよい。また本体ハウジング１５の後端部側の下面からは、ハンドル１１が下方に突設されている。
【００１７】
本体ハウジング１５の内部には、モータ５、モータ５にて駆動するファン４、及びモータ５の保持と整流のための整流翼６とから構成される送風装置１２が内装されている。またこの送風装置１２よりも下流側（先端部側）には、送風装置１２により発生した気流を加熱するためのヒータ部７が内装されている。
【００１８】
一方、ハンドル１１には送風装置１２とヒータ部７の動作のオンオフを制御するためのスイッチ１３が設けられており、更に、ハンドル１１の下端部には、電源供給用のコード１４が取付けられている。
【００１９】
図２に示すように、送風口１を構成するノズル８は、内側ノズル１０と、内側ノズル１０よりも外側に配置されている外側ノズル９とで構成されている。
【００２０】
図３，４に示すように、ノズル８の全体形状は、ノズル８から送風される風の流通方向の上流側から下流側に向かって径が緩やかに小さくなる略円筒状に形成されている。このノズル８は、内側ノズル１０と、内側ノズル１０の外側に隣接して配設された外側ノズル９とで構成されている。ここで、図３，４に示す例では、ノズル８は対向して配置される一対の外側ノズル９の間に内側ノズル１０が配置されるように形成されており、各外側ノズル９の、内側ノズル１０側の外壁を構成する外側ノズル片９ｃにて、内側ノズル１０が挟み込まれた形状となっている。また、図８に示すように、複数の外側ノズル９を、内側ノズル１０の全周を囲むように形成しても良い。
【００２１】
内側ノズル１０には、外側ノズル９が配置されている側に、傾斜部１０ｅと、この傾斜部１０ｅよりも下流側に設けられた平行部１０ｆが形成されている。
【００２２】
ここで、ノズル８の内部を流れる風の風向に沿ってノズル８の中心を通るノズル中心軸ｘを想定すると、内側ノズル１０はその内部にノズル中心軸ｘが配置されるように形成される。また、図３に示すように、ノズル中心軸ｘと直交する方向から視た断面形状において、内側ノズル１０の上流側に形成された傾斜部１０ｅは、上流側から下流側に向かって、ノズル中心軸ｘに向けて傾斜するように配設され、この傾斜部１０ｅが形成されている領域では、内側ノズル１０の開口面積が上流側から下流側に行くに従って連続的に減少するようになっている。また傾斜部１０ｅの下流側に連続して形成されている平行部１０ｆは、ノズル中心軸ｘと略平行に形成され、この平行部１０ｆが形成されている領域では内側ノズル１０の開口形状が上流側から下流側に至るまで変化しないように形成されている。この傾斜部１０ｅと平行部１０ｆとの接続部分１５の形状は円弧状（アール状）に形成することで、内側ノズル１０の形状の変化を緩やかにし、この接続部分１５において急激な気流の変化が発生しないようにすることが好ましい。
【００２３】
また、内側ノズル１０は、外側ノズル９に挟まれた領域、あるいは外側ノズル９に囲まれた領域に配置されると共に、内側ノズル１０の下流側端部１０ａが外側ノズル９の下流側端部９ａよりも下流側に配置されて、内側ノズル１０の開口が外側ノズル９の開口よりも突出しているように形成されている。すなわち、内側ノズル１０と外側ノズル９とを、ノズル中心軸ｘに沿った方向において重なった部分が形成されるように配設したものである。
【００２４】
このような構成によれば、内側ノズル１０の内部において、熱風の流れが内側ノズル１０の傾斜部１０ｅに沿ってノズル中心軸ｘに向き、その後、内側ノズル１０の平行部１０ｆに沿ってノズル中心軸ｘと略平行な向きに流れることとなる。このとき内側ノズル１０内の外縁側を通る熱風の流れは空気の粘性により内側ノズル１０の壁面に寄せられて、内側ノズル１０の内奥側を通る熱風と内側ノズル１０の外縁側を通る熱風とは互いに干渉され難くなる。その結果、内側ノズル１０内における風の流れがスムーズとなり、内側ノズル１０から直進性を持った風が送風されるものである。このため、ノズル８から送風される熱風の風量の減少を軽減しながらその風速を増すことができるものである。また、外側ノズル９からも風が送風されることにより、風量を更に確保することができるものである。
【００２５】
ここで、上記のように、内側ノズル１０と外側ノズル９とを、ノズル中心軸ｘに沿った方向において重なった部分が形成されるように配設したので、内側ノズル１０と外側ノズル９の開口の配置位置を近接させて、外側ノズル９から送風される風と内側ノズル１０から送風される風とが分離せずに一体的に送風することができ、充分な風量を確保することができるものである。
【００２６】
更に、内側ノズル１０の下流側端部１０ａが外側ノズル９の下流側端部９ａよりも下流側に配置されて、内側ノズル１０が外側ノズル９よりも下流側に突出するように形成されているので、外側ノズル９の、内側ノズル１０と重なる部分が低減されており、そのため、内側ノズル１０が形成されることによる外側ノズル９の内部形状の変化が生じることをできるだけ抑制して、外側ノズル９の内部形状の変化による風向きの乱れをできるだけ抑制し、外側ノズル９から送風される風の風量及び風速を充分に維持することができるものである。そのため、外側ノズル９から送風される風が内側ノズル１０からの離れて拡散するようなことがなく、外側ノズル９から送風される風と内側ノズル１０から送風される風とが分離せずに一体的に送風することができ、ノズル８から送風される熱風の充分な風量を確保することができるものである。
【００２７】
また、上記のように、ノズル８は、対向して配置される一対の外側ノズル９の間に内側ノズル１０が配置されるように形成されているので、内側ノズル１０の開口形状を、図示の略長矩形状のような、横長の開口形状に形成することが容易である。そのため、内側ノズル１０から充分な風量と風速をもって送風される熱風をセットや乾燥を行なうために毛髪に向けて送風する場合、毛髪の配置位置に沿って熱風を容易に送風することができ、セットや乾燥の作業効率が高くなるものである。
【００２８】
また、内側ノズル１０には整流片１６が形成されており、この整流片１６は、上流側からノズル８側に送られてくる熱風を、内側ノズル１０と外側ノズル９とにスムーズに分離して各ノズル８に送ることができ、ノズル８内の風向きの乱れを更に抑制して、充分な風量を確保することができるものである。この整流片１６は、図示の例では、内側ノズル１０の傾斜部１０ｅの上流側の端部から更にその上流側に向けて形成されており、ノズル中心軸ｘと略平行に形成されているため、特に、熱風を分岐する分岐効果が高いものであり、また熱風を分岐する際にその気流に乱れが生じることを抑制することができるものである。
【００２９】
また、外側ノズル９の、下流側端部９ａ側には、ノズル中心軸ｘに向けて傾斜する傾斜部９ｅが設けられている。ここで、図示の例では、外側ノズル９全体に亘り、ノズル中心軸ｘに向かう傾斜が形成されており、この下流側端部９ａ側が傾斜部９ｅとして形成されている。内側ノズル１０を配設すると、外側ノズル９の開口面積は、内側ノズル１０の開口が絞られるにしたがって増大し、そのままでは外側ノズル９への流入抵抗が小さくなって内側ノズル１０への気流の流入量が減少してしまうが、このような傾斜部９ｅを形成することにより、外側ノズル９の開口面積の増大を抑制して外側ノズル９への風の流入抵抗が小さくならないように調節し、外側ノズル９における風量が過剰になることを防止することができる。そして、このことによって内側ノズル１０における風量を確保して、ノズル８から送風される熱風の風速と風量を効果的に増大させることができるものである。
【００３０】
更に、図示の通り、外側ノズル９の下流側端部９ａを、内側ノズル１０の上流側端部１０ｂよりも外側に位置させている。このとき、外側ノズル９の内部には、ノズル中心軸ｘと平行な方向の流路１７が、ノズル８の内壁に阻害されることなく確保されることとなり、外側ノズル９におる極端な風量の低下を防止してノズル８から送風される風の全体的な風量の低下を抑制することができる。特に傾斜部１０ｅを設けて外側ノズル９の風量を調整する場合、この流路１７における熱風の流通を確保することにより、傾斜部１０ｅによる風量の極端な低下を抑制することができるものである。
【００３１】
上記のような実施の形態の例に対して、図７に示すように、外側ノズル９に傾斜部９ｅを形成せず、外側ノズル９の外側を、ノズル中心軸ｘと略平行に形成してもよい。但し、この場合は、外側ノズル９が下流側にいくに従って開口が広くなることとなり、内側ノズル１０に比べて、外側ノズル９への風の流入抵抗が大きく低減されて、内側ノズル１０における風量が低減されると共に、外側ノズル９における風量が増加することがある。その結果、風速が低下すると共に、風の流れにロスが生じてしまうおそれがあるため、図３に示すように外側ノズル９に傾斜部９ｅを形成することが好ましい。
【００３２】
また、図５に示すように、内側ノズル１０の上流側端部１０ｂを外側ノズル９の下流側端部９ａよりも下流側に配置することにより、内側ノズル１０と外側ノズル９とを重ねないように形成することもできる。但し、この場合、外側ノズル９から送風される風は、内側ノズル１０の外面から剥離して周囲に拡散しやすくなり、風量の効果的な増加を行なうことが困難となる場合があるため、図３に示すように、内側ノズル１０と外側ノズル９とを重ねて形成することが好ましい。
【００３３】
更に、図６に示すように、内側ノズル１０の下流側端部１０ａを外側ノズル９の下流側端部９ａよりも上流側に配置することもできる。但し、この場合は、内側ノズル１０の平行部１０ｆにおける外側ノズル９と平行部１０ｆと、内側ノズル１０との重なり部分イの断面積が増大するので、外側ノズル９内における内部形状の乱れによる気流の乱れが増大し、外側ノズル９における風量・風速が減少して、外側ノズル９内における風圧が減少する。また、外側ノズル９内においては、内側ノズル１０の平行部１０ｆが形成されている部分では、外側ノズル９の形状が内側ノズル１０に向けて拡張するようになっているが、外側ノズル９と内側ノズル１０の平行部１０ｆとの重なりが大きくなる結果、外側ノズル９を流れる風はこの平行部１０ｆの形状に追随しきれずに、内側ノズル１０から離れる方向に拡散しやすくなり、そのため外側ノズル９から送風される風は周囲に拡散しやすくなって、風量の効果的な増加を行なうことが困難となる場合がある。そのため、図３に示すように、内側ノズル１０の下流側端部１０ａを外側ノズル９の下流側端部９ａよりも下流側に配置することが好ましい。
【００３４】
【発明の効果】
上記のように本発明の請求項１に係るヘアードライヤーは、送風口及び吸込口を有するハウジングの内部に、ファン、モータ、整流翼及びヒータ部を具備するヘアードライヤーであって、送風口のノズルを、内側ノズルと外側ノズルとで構成し、内側ノズルに、上流側から下流側に向かってノズル中心軸に向けて傾斜する傾斜部と、傾斜部の下流側において断面形状がノズル中心軸と略平行に形成された平行部とを形成するため、ノズルから熱風が送風されるにあたっては、内側ノズルと外側ノズルとからそれぞれ送風されることとなり、このとき内側ノズルにて風向きに乱れを起こさずに熱風の気流を絞ることにより熱風の風量を確保しながら風速を向上することができ、更に外側ノズルからの送風により、熱風の風量を更に確保することができるものである。従って、熱風の温度を過剰に上げることなく、且つ熱風の風量を充分に確保しながら風速を向上することができるものである。
【００３５】
また、請求項２の発明は、請求項１の構成に加えて、内側ノズルと外側ノズルとを、ノズル中心軸に沿った方向において重なった部分が形成されるように配設するため、内側ノズルと外側ノズルのそれぞれから送風される熱風を一体的に送風することができ、更に充分な熱風の風量を確保することができるものである。
【００３６】
また請求項３に記載の発明は、請求項１又は２の構成に加えて、内側ノズルの下流側端部が外側ノズルの下流側端部よりも下流側に配置されると共に、内側ノズルの上流側端部が外側ノズルの下流側端部の配置位置よりも上流側に配置されるように、内側ノズルと外側ノズルとを配設するため、外側ノズル内における内部形状の変化を低減することができて、外側ノズルから送風される熱風の気流の乱れや、外側ノズルから送風される熱風の拡散を更に抑制することができる。そのため、外側ノズルから送風される風の風量及び風速を充分に維持することができると共に、内側ノズルと外側ノズルのそれぞれから送風される熱風を更に一体的に送風することができ、更に充分な熱風の風量を確保することができるものである。
【００３７】
また請求項４に記載の発明は、請求項１乃至３のいずれかの構成に加えて、対向して配置される一対の外側ノズルの間に内側ノズルが配置されるように形成するため、内側ノズルの開口を横長に形成することが容易となり、この内側ノズルから充分な風量及び風速で送風熱風を毛髪に向けて送風するにあたり、毛髪の配置に沿って熱風を送風することができて、セットや乾燥等の作業効率を向上することができるものである。
【００３８】
また請求項５に記載の発明は、請求項１乃至４のいずれかの構成に加えて、内側ノズルに整流片を形成するため、ノズル内の熱風の気流の乱れを更に抑制して、更に充分な風量を確保すると共に、熱風の過剰な加熱を抑制することができるものである。
【００３９】
また請求項６に記載の発明は、請求項５の構成に加えて、内側ノズルの上流側端部に、ノズル中心軸と略平行な整流片を設けるため、熱風の風向きに沿って熱風を内側ノズルと外側ノズルとにスムーズに分流することができ、ノズル内の熱風の気流の乱れを更に抑制して、更に充分な風量を確保すると共に、熱風の過剰な加熱を抑制することができるものである。
【００４０】
また請求項７に記載の発明は、請求項１乃至６のいずれかの構成に加えて、外側ノズルの下流側端部側に、断面形状がノズル中心軸に向けて傾斜する傾斜部を設けるため、内側ノズルの形状が絞られることに伴う外側ノズルの形状の拡散を、傾斜部によって相殺して、外側ノズルへの熱風の流入抵抗が低くなりすぎないようにして外側ノズルにおける風量の過剰な増大を抑制し、内側ノズルにおける熱風の風量を更に充分確保することができるものである。
【００４１】
また請求項８に記載の発明は、請求項１乃至７のいずれかの構成に加えて、外側ノズルの下流側端部を、内側ノズルの上流側端部よりも外側に配置するため、外側ノズル内にノズル中心軸に沿った、外側ノズルの内部形状に阻害されない流路を確保することができ、外側ノズル内における熱風の気流の乱れの発生を更に抑制することができるものである。
【図面の簡単な説明】
【図１】本発明の実施の形態の一例の全体構成を示す断面図である。
【図２】同上の要部を示す斜視図である。
【図３】同上の断面図である。
【図４】同上の正面図である。
【図５】本発明の実施の形態の他例の要部を示す断面図である。
【図６】更に他例の要部を示す断面図である。
【図７】更に他例の要部を示す断面図である。
【図８】更に他例の要部を示す正面図である。
【図９】従来技術を示す要部の断面図である。
【符号の説明】
１  吐風口
２  吸込口
３  ハウジング
４  ファン
５  モータ
６  整流翼
７  ヒータ部
８  ノズル
９  外側ノズル
９ａ  下流側端部
９ｂ  上流側端部
１０  内側ノズル
１０ａ  下流側端部
１０ｂ  上流側端部
１０ｅ  傾斜部
１０ｆ  平行部
１６  整流片
ｘ  ノズル中心軸
【図１】
0003598928.tif 000002
【図２】
0003598928.tif 000003
【図３】
0003598928.tif 000004
【図４】
0003598928.tif 000005
【図５】
0003598928.tif 000006
【図６】
0003598928.tif 000007
【図７】
0003598928.tif 000008
【図８】
0003598928.tif 000009
【図９】
0003598928.tif 000010